(57)【特許請求の範囲】
【請求項１】
人体を模して形成され、腹部及び胸部の少なくともいずれか一方に配設される弾性変形可能な弾性体、及び前記弾性体を覆設し、前記人体の皮膚と略同一の触感を提示可能な人工皮膚を備える人体モデルと、
訓練の目的に応じて前記人体モデルの少なくとも前記人工皮膚の直下、または前記弾性体の下に配設され、訓練者によって前記人体モデルに対して擬似的に行われる触診手技に応じ、前記人体モデルに加えられる前記触診手技の圧迫力を測定する圧力センサと、
前記圧迫力が測定された前記圧力センサに基づいて、前記触診手技の行われる前記人体モデルの触診位置を検出する位置検出手段と、
前記圧力センサ及び前記位置検出手段によって検出される前記触診位置における前記触診手技による圧迫の持続時間を検出する時間検出手段と、
前記持続時間に対する前記圧迫力の変化を、時間関数の圧力計測データとして記録する計測データ記録手段と、
前記計測データ記録手段により記録される前記計測データを視覚的認識可能に表示する計測データ表示手段と
を具備することを特徴とする触診訓練用装置。
【請求項２】
前記人体モデルに対して行われる前記触診手技の模範となる前記圧迫力及び前記持続時間に係る情報を含む複数の模範データを、前記触診手技の訓練対象、目的、及び前記触診位置に応じてそれぞれ記憶する模範データ記憶手段と、
前記模範データ記憶手段から、前記訓練者が前記触診手技に係る訓練を行うための訓
練対象となる前記触診位置に応じた前記模範データを抽出する模範データ抽出手段と、
前記訓練者の行う前記人体モデルに対する前記触診手技の習熟度を判断する判断手段と、
前記判断手段により判断される前記習熟度を前記訓練者に報知するための複数の音声メッセージが記録されるメッセージ記憶手段と、
前記判断手段により判断される前記習熟度に応じて、前記人体モデルの反応を擬似的に提示可能な前記音声メッセージを前記メッセージ記憶手段から抽出するメッセージ抽出手段と、
前記メッセージ抽出手段により抽出された前記音声メッセージを聴覚的認識可能に出力し、報知する音声報知手段と
をさらに具備し、
前記計測データ表示手段は、
前記模範データを前記時間関数を同期させて前記計測データとともに表示する模範データ表示手段を具備し、
前記判断手段は、
前記計測データ表示手段に表示される前記計測データ及び前記模範データとの前記圧力波形の差異に基づいて、前記習熟度を判断する
ことを特徴とする請求項１に記載の触診訓練用装置。
【請求項３】
前記人体を略平面上に模して形成された人体図を提示する人体図提示手段と、
前記触診手技が行われた前記触診位置を前記人体図によって視覚的認識可能に報知する触診位置報知手段と
をさらに具備することを特徴とする請求項１または請求項２に記載の触診訓練用装置。
【請求項４】
前記計測データ表示手段は、第１ウィンドウおよび第２ウィンドウが表示可能なモニタにより構成されていることを特徴とする請求項１乃至請求項３のいずれか一つに記載の触診訓練用装置。
【請求項５】
前記人体モデルは、硬質の部材によって形成され、前記弾性体の中心部付近に設置された芯材を備え、
前記圧力センサは、前記人体モデルの前記人工皮膚及び前記弾性体の間、又は、前記弾性体および前記芯材の間に配設されていることを特徴とする請求項１乃至請求項４のいずれか一つに記載の触診訓練用装置。
【請求項６】
前記圧力センサの下方に硬質の支持板が配されていることを特徴とする請求項１乃至請求項５のいずれか一つに記載の触診訓練用装置。
【請求項７】
前記圧力センサは、圧迫力に応じて電気量の変化を検出するセンサ部を備えていることを特徴とする請求項１乃至請求項６のいずれか一つに記載の触診訓練用装置。
【請求項８】
圧力センサは、前記センサ部により検出されたセンサ信号をコンピュータ本体に送出するためにセンサ信号の増幅用のアンプと接続した端部、前記センサ部および前記端部の間を電気的に接続する導線、ならびに前記センサ部および前記導線を被服する保護フィルムを備えていることを特徴とする請求項７に記載の触診訓練用装置。
【発明の詳細な説明】
【技術分野】
【０００１】
本発明は、触診訓練用装置に関するものであり、特に触診の技術を向上するために医学生等を対象として行われる訓練に用いられる触診訓練用装置に関するものである。
【背景技術】
【０００２】
診断技術が進歩した現代医療においても、医師が行う視診、聴診、打診、触診等の診察は、内科のみならず、外科、泌尿器科、産婦人科など多科にわたって重要である。ここで、視診は病態を全体的に把握し、聴診は聴診器により心臓、肺、腸や動脈の音を聞き、打診で患者の検査部位を叩いたときの反響音を聞き分けて臓器の大きさや、血液や膿の有無、ガスの有無等を調べるものである。
【０００３】
そして触診は、医師が患者の身体に手を当て、身体の弾性の強弱または患者の反応を感じ取ることにより、腹壁の緊張、内臓の腫大や腫瘤の有無、圧痛、筋肉や骨の異常の有無を診断する技術である。この触診によって発見が可能である疾患は、虫垂炎、骨折、心筋梗塞、乳癌その他多数であり、触診の結果により、医師は、さらに詳細な検査を行う必要のある患者に、胃内視鏡検査（胃カメラ）、レントゲン検査、超音波検査等、数多くある検査の中からその患者に必要である検査を選択することができる。
【０００４】
ところで、触診と一言でいっても、手掌全体で行う浅い触診と、指先を使う深い触診に分けられる。浅い触診では、手の重みを使って軽く圧迫することが大切であり、このことにより患者の腹壁等が緊張することなく自然な状況での触診を行うことができ、例えば、腹壁の腫瘤、腹腔内の大きな腫瘤等の有無を調べることができる。一方、深い触診では、指先を使い内臓の状態を調べることができ、例えば、肝縁の性状、硬さ、肝表面の性状等を調べることができる。また、触診は、患者の症状や患部位置等により、押す強さ、押し込む角度、手を離すタイミング等が異なり、さらに医師はこれらを手の感覚によって、正常な状態か或いは異常な状態かの判断をする必要がある。
【０００５】
例えば、腹膜炎の確証となるブルンベルグ徴候（反跳圧痛）は、手指を使ってゆっくり腹壁を圧迫し、すばやくそれを離したときに、患者は押したときよりも、さらに強い疼痛を訴える、という特徴がある。このとき、手指の離し方によっては疼痛が生じにくい場合もあり、経験の浅い医学生等が触診を行うと、この徴候を発見できないこともある。このため、経験の少ない医学生等には、的確な診断を行うために実践的な実技指導が与えられることが求められている。
【発明の開示】
【発明が解決しようとする課題】
【０００６】
しかし、医学部の学生が、実際に病院に来院する患者、または入院中の患者の患部で触診の実習を受ける機会は非常に少なく、また医学生一人一人が個人的に指導教授から指導を受ける時間も極端に少なかった。特に、緊急の処置を必要とする腹膜炎等の症状を示す患者に対し、多くの医学生が実際に触診する機会はほとんどなかった。そのため、医学生等が経験の乏しいまま実際の医療現場等で患者を診察することになった際に、疾患を発見できない恐れ、または必要以上の触診により患者に不必要な痛みを与えてしまう恐れもあった。
【０００７】
そこで、本発明は、上記実情に鑑み、触診技術を仮想的に体験でき、触診に係る技術の習得が可能な触診訓練用装置の提供を目的とするものである。
【課題を解決するための手段】
【０００８】
上記の課題を解決するため、本発明の触診訓練用装置は、「人体を模して形成され、腹部及び胸部の少なくともいずれか一方に配設される弾性変形可能な弾性体、及び前記弾性体を覆設し、前記人体の皮膚と略同一の触感を提示可能な人工皮膚を備える人体モデルと、訓練の目的に応じて前記人体モデルの少なくとも前記人工皮膚の直下、または前記弾性体の下に配設され、訓練者によって前記人体モデルに対して擬似的に行われる触診手技に応じ、前記人体モデルに加えられる前記触診手技の圧迫力を測定する圧力センサと、前記圧迫力が測定された前記圧力センサに基づいて、前記触診手技の行われる前記人体モデルの触診位置を検出する位置検出手段と、前記圧力センサ及び前記位置検出手段によって検出される前記触診位置における前記触診手技による圧迫の持続時間を検出する時間検出手段と、前記持続時間に対する前記圧迫力の変化を、時間関数の圧力計測データとして記録する計測データ記録手段と、前記計測データ記録手段により記録される前記計測データを視覚的認識可能に表示する計測データ表示手段と」を具備するものから主に構成されている。
【０００９】
ここで人体モデルは、人体を立体的に模して形成され、さらに実際の人体の大きさとほぼ同一に形成されていることが、訓練者が人体モデルに対して違和感を覚えることを無くすために望ましい。そして、訓練者が人体モデルに対して訓練を行うときに、視覚的、触覚的な違和感を軽減するために、人体モデルの表面には人体の皮膚と同一の触感を提示する人工皮膚が配され、また、人体の胸部、腹部に相当する箇所は、触診訓練による圧迫を受けた場合、加えられる圧力に応じて弾性変形することが可能なウレタンやゴムなどの弾性体の素材が使用されている。
【００１０】
ここで、触診は、前述したように、身体の表面に掌を沿わせる様に行う場合と、指先で深く、内臓を触知できる程度にまで圧迫を行う場合とがある。そのため、圧力センサを設置する箇所は、訓練の目的に応じて人体モデルの人工皮膚の直下、または弾性体の下等、人体の内部に相当する箇所が挙げられる。さらに、設置する圧力センサの数も、訓練の目的となる症例に応じて、複数を設置することが可能である。なお、このとき、外見から圧力センサの設置位置が確認できないように、薄型フィルム状で面接触型の圧力センサを使用することが特に望ましい。
【００１１】
また、圧力センサは、設置された周囲、特に圧迫方向に対抗する面が変形しやすい素材であると、圧力センサ自体の位置の保持が不安定となり、圧迫力に応じて出力されるセンサ信号にばらつきが生じ、正しい検出が行えなかったり、耐久性が低下する恐れがある。そこで、圧力センサの下部等にプラスチック板など硬質の素材を貼付したり、人体モデルの芯材に硬質の素材を使用することで、圧力センサのセンサ信号の出力を安定させるような措置を講ずることが望ましい。
【００１２】
また、触診を行う場合、特に圧痛点での圧痛の有無を調べる場合には、圧迫の深さが重要であるとともに、的確な位置への触診が重要となってくる。ここで圧痛点とは、手指で圧迫すると痛みがある場所をいい、例えば、マクバーニーの圧痛点が挙げられる。マクバーニーの圧痛点は、臍から右の腰骨まで線を引いたとして、その線を三等分した場合の臍から三分の二の所にあり、虫垂炎を起こしてある期間症状が続いている患者は、この点を圧迫すると痛みが感じられる。この様な場合に医師が正確な診断を下すためには、圧痛点を的確に診察することが必要であり、触診訓練においても圧痛点を正確に圧迫する訓練が重要である。
【００１３】
そこで、位置検出手段は、人体モデルに設置される各圧力センサの位置を訓練目的に沿う触診位置となるように予め設定しておくことにより、訓練者は正しい位置を把握することができるようになる。
【００１４】
また、時間検出手段とは圧迫が行われている持続時間を測定及び検出するものであり、そして、計測データ記録手段とは、圧力センサによって測定された圧迫力の値を、時間検出手段によって検出された持続時間における時間関数の圧力変化を計測データとして記録するものである。そして、記録された計測データは、圧力の経時的変化をあらわす圧力波形として計測データ表示手段に表示される。
【００１５】
したがって、本発明の触診訓練用装置によれば、触診訓練で人体モデルに加えられる圧迫力を検出し、圧力波形として計測データ表示手段に表示することが可能になり、訓練者は、自身が行った人体モデルの触診位置の正否を確認し、圧迫力の経時的変化を圧力波形として認識し訓練することができる。すなわち、訓練者が正しい触診位置を圧迫した場合、計測データ表示手段に圧力波形が表示される。一方、誤った位置を圧迫した場合、圧力波形の表示はなされない。さらに、圧力波形は圧迫力の強度を示すことができるため、これにより訓練者は触診圧の程度を感じることができる。
【００１６】
また、本発明の触診訓練用装置は、「前記人体モデルに対して行われる前記触診手技の模範となる前記圧迫力及び前記持続時間に係る情報を含む複数の模範データを、前記触診手技の訓練対象、目的、及び前記触診位置に応じてそれぞれ記憶する模範データ記憶手段と、
前記模範データ記憶手段から、前記訓練者が前記触診手技に係る訓練を行うための訓練対象となる前記触診位置に応じた前記模範データを抽出する模範データ抽出手段と、
前記模範データを、前記計測データ記録手段により記録される前記計測データと前記時間関数を同期させてともに圧力波形として表示する模範データ表示手段を具備し、前記計測データを視覚的認識可能に表示する計測データ表示手段と、
前記計測データ表示手段に表示される前記計測データ及び前記模範データとの前記圧力波形の差異に基づいて、前記触診手技の前記習熟度を判断する判断手段と、
前記判断手段により判断される前記習熟度を前記訓練者に報知するための複数の音声メッセージが記録されるメッセージ記憶手段と、
前記判断手段により判断される前記習熟度に応じて、前記人体モデルの反応を擬似的に提示可能な前記音声メッセージを前記メッセージ記憶手段から抽出するメッセージ抽出手段と、
前記メッセージ抽出手段により抽出された前記音声メッセージを聴覚的認識可能に出力し、報知する音声報知手段とをさらに具備する」ものであっても構わない。
【００１７】
ここで、模範データ記憶手段は、訓練者の触診手技の模範として模範データ表示手段に提示するためのデータを記録するものであり、模範データは、優れた触診技術を有する指導者等によって行われた触診手技を予め測定し、記憶されているものである。ここで、模範データは、触診手技の各訓練対象毎、各目的毎、各触診位置毎及び各習熟度等毎に複数記憶されており訓練対象に応じて適宜選択することが可能である。そして、模範データ抽出手段は、模範データ記憶手段によって記憶された各模範データの中から必要に応じた模範データを検出し、抽出するものである。さらに、判断手段とは、訓練者の触診手技の習熟度を判断するものである。また、メッセージ記憶手段とは、患者の反応として予め用意される「痛い」、「感じない」等の音声メッセージを記録しておくものである。そして、メッセージ抽出手段とは、訓練者が圧迫を行ったときに、記録された音声メッセージの中から適切な音声メッセージの選択を行うものであり、音声報知手段とは、メッセージ抽出手段により抽出されたメッセージを訓練者に報知するものである。
【００１８】
したがって、本発明の触診訓練用装置によれば、触診訓練の際に想定する患者の症状や患部の位置等に応じて模範となる触診手技による圧力波形を、訓練者自身の触診手技による圧力波形が表示されている画面に、触診手技の開始に同期させ同時に表示することにより、訓練者自身の触診手技と模範となる触診手技の違いが視覚的に認識可能になる。これより、訓練者は模範となる圧力波形を確認しながら触診訓練を受け、適切な圧迫を学ぶことが可能になる。さらに、本発明の触診訓練用装置によれば、訓練者が行った圧迫による患者の反応を音声により模擬的に提示することが可能となる。例えば、前述したブルンベルグ徴候の様に、触診の技術によって患者の反応が大きく異なる場合もあり、患者の疾患、症状においての触診に対する患者の反応を学ぶ必要がある。そこで、訓練者が行った触診手技の習熟度を判断し、その習熟度に応じて患者の反応を擬似的に提示することにより、訓練者は人体モデルに与えた圧迫が触診として適切であるか否かを聴覚により認識することが可能になり、触診に対しての患者の反応を模擬的に学習することが可能になる。特に、触診手技の習熟度を聴覚によって認識可能になったことにより、圧力波形などの視覚的認識手段によらずに触診訓練を行うことが可能になる。
【００１９】
また、本発明の触診訓練用装置は、上記構成に加え、「前記人体を略平面上に模して形成された人体図を提示する人体図提示手段と、前記触診手技が行われた前記触診位置を前記人体図によって視覚的認識可能に報知する触診位置報知手段とをさらに具備する」ものであっても構わない。
【００２０】
ここで、人体図提示手段とは、板状の本体に人体図が表されたものや、液晶モニタ等に人体図を表示したもの等の略平面上に形成されたものが挙げられる。また、触診位置報知手段とは、人体図提示手段に表された人体図によって訓練者に自身が行った触診位置を視覚的に報知するものであり、例えば、板状の本体にあらわされた人体図の身体の各箇所に豆電球や発光ダイオード等の発光体を配し、発光によって報知するものや、モニタに表示した人体図の一部の色が変化することによって報知するものが挙げられる。
【００２１】
したがって、本発明の触診訓練用装置によれば、訓練者に、触診訓練で人体モデルに行った触診の位置の正否を認識するだけでなく、自身が行った触診位置を、人体図を用いて視覚的に報知することが可能となる。
【００２２】
さらに、本発明の触診訓練用装置は、上記構成に加え「前記計測データ表示手段は、第１ウィンドウおよび第２ウィンドウが表示可能なモニタにより構成されていることを特徴とする」ものであっても構わない。さらに、上記構成に加え「前記人体モデルは、硬質の部材によって形成され、前記弾性体の中心部付近に設置された芯材を備え、前記圧力センサは、前記人体モデルの前記人工皮膚及び前記弾性体の間、又は、前記弾性体および前記芯材の間に配設されていることを特徴とする」ものであっても構わない。さらに、上記構成に加え「前記圧力センサの下方に硬質の支持板が配されていることを特徴とする」ものであっても構わない。さらに、上記構成に加え「前記圧力センサは、圧迫力に応じて電気量の変化を検出するセンサ部を備えていることを特徴とする」ものであっても構わない。さらに、上記構成に加え「圧力センサは、前記センサ部により検出されたセンサ信号をコンピュータ本体に送出するためにセンサ信号の増幅用のアンプと接続した端部、前記センサ部および前記端部の間を電気的に接続する導線、ならびに前記センサ部および前記導線を被服する保護フィルムを備えていることを特徴とする」ものであっても構わない。
【００２３】
ここで、第１ウィンドウおよび第２ウィンドウが表示可能なモニタとは、画面をほぼ二分割するように二つのウインドウ（第一ウインドウ及び第二ウインドウ）が表示されるように構成されているものである。また、圧力センサの下方に配される硬質の支持板とは、圧迫力の検出を安定して行うためのものであり、これによって、人工皮膚と弾性体の間に介設される圧力センサに圧迫力が加えられた場合でも、圧力センサ自体が変形することを制限し、圧迫力の計測を安定して行うことができる。
【発明の効果】
【００２５】
本発明の効果として、医学生等の訓練者は、自身が行った触診手技の結果を位置の正否、圧力波形、人体図の身体部位の発光、音声メッセージの報知により認識することができる。そして、模範の触診技術が提示されることにより、その触診技術を目指し、自身の触診技術を高めていくことができる。これにより、医療現場において適切な触診を行うことが可能な優れた医療技術を有する医師の養成ができる。
【発明を実施するための最良の形態】
【００２６】
以下、本発明の一実施形態である触診訓練用装置１について、図１乃至図６に基づいて説明する。ここで、図１は本実施形態の触診訓練用装置１の概略構成を模式的に示す模式図であり、図２は人体モデル２の構成を示す正面図であり、図３は圧力センサ３の構成を示す（ａ）平面図、（ｂ）正面図であり、図４は人体モデル２の構成を示す一部切欠断面図であり、図５は触診訓練用装置１におけるコンピュータ本体５ａの機能的構成を主に示すブロック図であり、図６は液晶モニタ５ｃの画面表示例を示す説明図である。
【００２７】
本実施形態の触診訓練用装置１は、図１及び図２に示すように、人体の上半身を模して立体的に形成された人体モデル２と、人体モデル２の所定の位置にセンサ部３ａが挿入され、触診手技における触診位置の圧迫力を計測するための圧力センサ３と、圧力センサ３の端部３ｂと電気的に接続され、センサ部３ａによって検出されたセンサ信号Ｓを増幅するためのアンプ４と、アンプ４によって増幅されたセンサ信号Ｓを受付けるコンピュータ本体５ａ、キーボード５ｂ、及び液晶モニタ５ｃからなるコンピュータ５と、コンピュータ５によって判断及び処理された触診手技の習熟度を、主に訓練者に対して音声によって報知する音声報知器６とから主に構成されている。ここで、音声報知器６が本発明における音声報知手段に相当する。
【００２８】
さらに、本実施形態の触診訓練用装置１の人体モデル２は、図２及び図４に示すように、人体の上半身部分が、略実寸大のサイズで形成されたものであり、特に胸部及び腹部に相当する箇所の表面には、人体の皮膚と同様の感触を提示可能な人工皮膚７が使用され、さらに人工皮膚７の下部には、人体の腹筋や胸筋等の筋肉に相当する弾性変形可能なウレタン素材からなる弾性体８が設けられている。
【００２９】
これにより、実際の人体と同様の皮膚感及び弾力性等を再現することが可能となり、触診手技の訓練を受ける訓練者に違和感を覚えさせないようにすることができる。さらに、人体モデル２の中心部付近、換言すれば、ウレタン素材からなる弾性体８の下方には、硬質の芯材９が使用され、この芯材９は、触診手技の訓練によって圧迫される圧迫力に抗する程度の硬度を有している。
【００３０】
ここで、人体モデル２に取付けられる圧力センサ３の構成について、図３（ａ），（ｂ）に基づいてさらに詳しく説明する。本実施形態の触診訓練用装置１に用いられる圧力センサ３は、全体がフィルム状の薄型の長手形状を呈し、先端に圧迫力に応じて電気量の変化を検出するセンサ部３ａと、多端にセンサ部３ａにより検出されたセンサ信号Ｓをコンピュータ本体５に送出するためにセンサ信号Ｓの増幅用のアンプ４と接続した端部３ｂと、センサ部３ａ及び端部３ｂの間を電気的に接続する導線３ｃと、センサ部３ａ及び導線３ｃを被覆し、外部からの衝撃等から保護するための透明素材からなる保護フィルム３ｄとから主に構成されている。このように、柔軟性のあるフィルム状の素材を使用し、薄型に形成された圧力センサ３を使用することにより、人体モデル２へ設置する場合、図４に示すように、圧力センサ３を人体モデルの人工皮膚７または弾性体８の下部に差込み、所定の位置に容易に設置することができる。また、この形状の圧力センサを使用することで設置箇所が他の箇所に比べて隆起することはなく、訓練者が触診手技を行う際に視覚を通じて触診位置Ｐを認識することはない。
【００３１】
ここで、圧力センサ３は、訓練の目的や症例に応じ、人体モデル２の複数の箇所にそれぞれ配することができる。なお、圧力センサ３は、図４における紙面左側に示されるように、弾性変形可能な弾性体８と硬質の素材９（芯材）との間に介設されるものであっても、或いは図４における紙面右側に示されるように、人工皮膚７と弾性体８との間に介設されるものであっても構わない。これにより、前述した触診手技における「浅い触診」と「深い触診」との差を比較しながら、個々の触診位置Ｐに基づく違いを把握することができる。なお、人工皮膚７と弾性体８の間に介設される圧力センサ３のセンサ部３ａの下方には、圧迫力の検出を安定して行うことができるように、予めプラスチックなどの硬質の支持板４０が配されている。これにより、係る部位のセンサ部３ａに圧迫力が加えられた場合でも、圧力センサ３のセンサ部３ａ自体が変形することを制限し、圧迫力の計測を安定して行うことができる。ここで、図１または図２には、説明を簡略化するため、圧力センサを一つまたは二つ設けたものを示したが、アンプ４を介して人体モデル２により多くの圧力センサ３を配するものであってもよい（図１参照）。
【００３２】
次に、本実施形態の触診訓練用装置１において、人体モデル２に対して行われた触診手技に係る情報を受付け、種々の処理を行うコンピュータ本体５ａの機能的構成について図５に基づいてさらに詳細に説明する。ここで、コンピュータ本体５ａは、図５に示すように、人体モデル２に配設された圧力センサ３から増幅用のアンプ４を介して送出されるセンサ信号Ｓを、コンピュータ本体５ａ内で読込可能な形式に変換して受付けるインターフェイス１０と、受付けたセンサ信号Ｓによって人体モデル２に対して行われた触診主義の触診位置Ｐを検出する位置検出部１１、人体モデル２への触診手技による圧迫が継続された時間を検出する時間検出部１２、及び圧力センサ３による圧迫力を時間関数として検出する圧力検出部１３を有する検出部１８と、圧力センサ３が設置された触診位置Ｐに対応する圧力センサ位置情報３５を含む種々の情報が記憶された記憶部１９と、検出部１８によって検出された訓練者による触診手技に係る圧迫力を時間関数によって圧力波形として示した計測データ３０を記憶する計測データ記憶部１４とを主に具備して形成されている。ここで、位置検出部１１が本発明における位置検出手段に相当し、時間検出部１２が本発明における時間検出手段に相当し、計測データ記録部１４が本発明における計測データ記録手段に相当する。ここで、本実施形態の触診訓練用装置１では、図２及び図４に示すように、圧力センサ３は、胸部及び右腹部の二カ所に設置されており、前述の圧力センサ位置情報３５には、係る位置を触診位置Ｐとして認識するための情報が記憶されている。
【００３３】
さらに、コンピュータ本体５ａは、訓練者による触診手技の技量レベル、換言すれば触診手技に係る技術的な習熟度を評価するために、予め記憶部１９に触診手技の模範となる模範データ３１が、触診手技の訓練対象、目的、触診位置Ｐ及び習熟度等に合わせて複数記憶された模範データ群１５が記憶されている。さらに、前述した種々の触診訓練の状況に合わせて、係る模範データ群１５から適切な模範データ３１を抽出するための模範データ抽出情報３２が、模範データ群１５と関連づけて記憶されている。そして、コンピュータ本体５ａは、さらに模範データ抽出情報３２に基づいて模範データ群１５の中から最適な模範データ２１を抽出するための抽出部１６と、検出部１８によって検出された触診手技に係る計測データ３０と抽出された模範データ３１とに基づいて、訓練者の触診手技の習熟度を判断する判断部１７とをさらに備えている。ここで、抽出部１６が本発明における模範データ抽出手段に相当し、判断部１７が本発明における判断手段に相当する。
【００３４】
ここで、判断部１７によって訓練者の習熟度を判断するために、図５に示すように、記憶部１９には、予め複数の音声メッセージ３６が蓄積された音声メッセージ群３３、及び習熟度を評価するための計測データ３０及び模範データ３１の比較基準を含む習熟度判断情報３４が記憶されている。そして、前述した抽出部１６によって、係る習熟度判断情報３４に基づいてメッセージ群３３の中から、状況に応じて適切な音声メッセージ３６を抽出することができる。ここで、記憶部１９は本発明におけるメッセージ記憶手段の機能を有し、抽出部１６は本発明におけるメッセージ抽出手段の機能を有している。
【００３５】
次に、コンピュータ５の液晶モニタ５ｃについて、図６に基づいて説明する。液晶モニタ５ｃは、図６に示すように、画面をほぼ左右に二分割するように二つのウインドウ（第一ウインドウ２０及び第二ウインドウ２４）が表示されるように構成されている。そして、係るウインドウ２０，２４は、使用状況に応じて適宜、表示のＯＮ／ＯＦＦを切替えたり、或いはウインドウ２０，２４のサイズも変更することもできる。
【００３６】
ここで第一ウインドウ２０は、訓練者が行った触診手技に応じて検出された計測データ３０に基づく圧力波形２１、及び模範データ３１に基づく圧力波形２２からなる二つの波形が示されたグラフ２３を表示することができる。ここで、グラフ２３において、縦軸が触診手技による圧迫力Ｆを示し、一方、横軸が圧迫が行われた時間Ｔ（持続時間に相当）を示している。そして上述の二つの圧力波形２１、２２は横軸の時間Ｔを同期させた状態で表示されている。これにより、訓練者の行った触診手技と、模範データ３１によって示される模範的な触診手技との違いを視覚的に認識可能に表示することができる。ここでの液晶モニタ５ｃが、本発明における計測データ表示手段、及び模範データ表示手段に相当する。
【００３７】
一方、画面右側に位置する第二ウインドウ２４は、人体を平面的に示した人体図２５が表示されている。そして、この人体図２５の画面上の複数箇所には、人体モデル２の触診位置に対応する箇所が点滅するような制御を行うことができるようになっている。すなわち、前述した位置検出部１１に検出された触診位置と同じ位置を人体図２５で示すことができる。ここで、人体図２５が本発明における人体図表示手段に相当し、液晶モニタ５ｃによる触診位置の点滅が本発明における触診位置報知手段に相当する。
【００３８】
次に、本実施形態の触診訓練用装置１の使用方法について説明する。ここで、前述したように、触診訓練用装置１の人体モデル２及びコンピュータ５等の各構成は、電源等が投入され、稼動状態となっている。そして、図４に示すように、訓練者の手指（図示しない）によって人体モデル２の表面に対して触診手技が行われる。これにより、人体モデル２に圧迫力Ｆ（図４における矢印参照）が加えられることになる。その結果、圧迫力Ｆが加えられる触診位置Ｐでは、人体モデル２を構成する人工皮膚７及び弾性体８が圧迫力Ｆに応じて弾性変形が起きる。これにより、センサ３の先端のセンサ部３ａに電気量の変化が生じ、センサ信号Ｓとしてアンプ４を介してコンピュータ本体５ａに送出される。なお、このとき、圧力センサ３のセンサ部３ａが設置されていない箇所を押しても、センサ信号Ｓがコンピュータ本体５ａに対して送出される事がないため、訓練者は正しい触診位置Ｐを押したか否かを係るセンサ信号Ｓの送出による圧力波形２１の表示（詳細は後述する）によって知覚することができる。
【００３９】
そして、アンプ４によって増幅されたセンサ信号Ｓは、インターフェイス１０を介して変換処理が行われ、コンピュータ本体５ａに受付けられ、内部の検出部１８に送出される。
【００４０】
ここで、検出部１８の位置検出部１１は圧力センサ３からのセンサ信号及び記憶部１９に記憶された圧力センサ位置情報３５に基づいて、触診手技が行われた触診位置Ｐの圧力センサ３を特定し、さらに時間検出部１２によって圧迫力Ｆが人体モデルに対して加えられた時間Ｔを検出する。さらに、圧力検出部１３によって、人体モデル２に対して加えられた圧迫力Ｆの強さを検出する。そして、時間検出部１２及び圧力検出部１３に基づいて圧迫力Ｆの時間Ｔに対する変化を示す計測データ３０を計測データ記録部１４に記録する。なお、係る計測データ３０は、前述した液晶モニタ５ｃに対して出力制御され、第一ウインドウ２０のグラフ２３に圧力波形２１として表示される。これにより、訓練者及び指導教官等は、行われた触診手技に対する結果を、表示される圧力波形２１により視覚情報として捉えることができる。
【００４１】
このとき、グラフ２３には、前述したように、訓練者の触診手技に係る計測データ３０の圧力波形２１に重ね合わせるようにして、予め抽出された触診手技の模範を示す模範データ３１の圧力波形２２を、時間Ｔを同期させて表示することもできる。これにより、訓練者は、計測データ３０による圧力波形２１と、模範データ３１による圧力波形２２とを表示し比較することができる。そして、訓練者は、自身の圧力波形２１に重ねて表示される模範の圧力波形２２を見ながら触診訓練を受けることができ、自身の圧迫手技による圧力波形を模範の圧力波形２２に近づけるよう努力することにより、正しい触診技術を向上させることができる。
【００４２】
加えて、本実施形態の触診訓練用装置１は、図６に示すように、前述した液晶モニタ５ｃの第二ウインドウ２４に人体図２５を表示し、これを用いて訓練者に触診手技による触診位置Ｐを視覚を通じて報知することができる。具体的には、人体モデル２に、訓練者による触診手技による圧迫が加えられると、検出部１８の位置検出部１１は、触診手技が行われた触診位置Ｐを検出する。これにより、第二ウインドウ２４の人体図２５において、係る触診位置Ｐに対応する人体図２５の箇所２６が点滅するよう制御がなされ、この点滅により訓練者は、自身が行った触診手技の触診位置Ｐの正否だけでなく、具体的な触診位置Ｐを視覚的に把握することができる。
【００４３】
さらに、本実施形態の触診訓練用装置１は、訓練者が行う触診手技に係る技術的な習熟度を客観的に判断することができる。具体的には、訓練者の触診手技が行われると、前述したように計測データ３０が作成され、計測データ記録部１４に記録される。そして、判断を行う場合には、判断部１７において模範データ３１と習熟度判断情報３４に基づいて習熟度の判断を行う。そして、その習熟度に基づいてメッセージ群３３の中から、適切な音声メッセージ３６（例えば、不必要な圧迫を与えた場合に報知する、「痛い！」等のメッセージ）を訓練者に対して報知する。これにより、訓練者は、触診訓練を受けながら聴覚で自身の触診手技の習熟度を認識できる。
【００４４】
以上、本発明について好適な実施形態を挙げて説明したが、本発明はこれらの実施形態に限定されるものではなく、以下に示すように、本発明の要旨を逸脱しない範囲において、改良及び設計の変更が可能である。
【００４５】
すなわち、本実施形態の触診訓練用装置１の人体モデル２において、人体の胴体部を模して形成されたものを示したが、これに限定されるものではなく、頭部、及び四肢などを含む、全身を模して形成された人体モデルであっても構わない。さらに、人体図２５を液晶モニタ５ｃに表示するものを示したが、これに限定されるものではなく、板などに記された人体図の身体の各部位に豆電球などの発光体を設置し、それを触診手技に応じ発光させるものであっても構わない。
【００４６】
また、触診は、場合によっては、患者が痛みを訴える場所からなるべく遠い部位から触診を始め、徐々に有痛部に移っていくことが必要である。この場合、感知範囲の狭い圧力センサを使用するよりも、感知範囲の広い圧力センサを使用する方が望ましい。そこで図７（ａ），（ｂ）にそれぞれ示す圧力センサ２６，２７のように、センサ部２６ａ，２７ａの感知面積の異なるものを準備し、想定する症状に応じて取り替えることができるようにしてもよい。これにより、触診訓練で想定する患部の周辺から徐々に触診位置Ｐに近づけていく訓練にも対応できる。
【図面の簡単な説明】
【００４７】
【図１】触診訓練用装置の概略構成を模式的に示す模式図である。
【図２】人体モデルの構成を示す正面図である。
【図３】圧力センサの構成図である。
【図４】人体モデルの構成を示す一部切欠断面図である。
【図５】触診訓練用装置におけるコンピュータ本体の機能的構成を主に示すブロック図である。
【図６】液晶モニタの画面表示例を示す説明図である。
【図７】圧力センサの別例を示す説明図である。
【符号の説明】
【００４８】
１    触診訓練用装置
２    人体モデル
３    圧力センサ
５ｃ  液晶モニタ（計測データ表示手段、模範データ表示手段、人体図提示手段、触診位置報知手段）
６    音声報知器（音声報知手段）
７    人工皮膚
８    弾性体
１１  位置検出部（位置検出手段）
１２  時間検出部（時間検出手段）
１４  計測データ記録部（計測データ記録手段）
１６  抽出部（模範データ抽出手段、メッセージ抽出手段）
１７  判断部（判断手段）
１８  メッセージ記憶部（メッセージ記憶手段）
１９  記憶部
２５  人体図
【図１】
0003725887.tif 000002
【図２】
0003725887.tif 000003
【図３】
0003725887.tif 000004
【図４】
0003725887.tif 000005
【図５】
0003725887.tif 000006
【図６】
0003725887.tif 000007
【図７】
0003725887.tif 000008